(57)【要約】  【課題】  処理装置による処理開始前と処理開始後の処理中での条理条件の設定操作をそれぞれの状況に応じた適宜の手法に変更することにより、操作性を向上させることを目的とする。  【解決手段】  処理開始前においては、設定可能な複数の処理条件が表示画面に並列的に表示され、表示画面に表示された複数の処理条件に対して外部から処理条件が設定されて処理が開始される。また、処理実行中においては、設定可能な複数の処理条件が外部からの所定の操作に応じて一つづつ表示装置に順次的且つ循環的に表示され、各処理単位の処理が開始される時点で表示装置に表示されている処理条件が設定されて以降の各処理単位が処理される。このように、処理開始前と処理中とで処理条件の設定方法を異ならせることにより、操作性を向上させる。【選択図】      図２
2005318322.tif 000002
【特許請求の範囲】
【請求項１】
表示装置に表示される複数の処理条件の内のいずれかに従って処理対象を所定の処理単位に区切って連続的に処理する処理装置に対する処理条件の設定方法であって、
処理開始前においては、設定可能な複数の処理条件を前記表示装置に並列的に表示し、前記表示装置に表示した複数の処理条件に対する外部からの所定の操作による選択を受け付け、受け付けた処理条件を設定し、
処理実行中においては、設定可能な複数の処理条件を外部からの所定の操作に応じて前記表示装置に順次的且つ循環的に表示し、各処理単位の処理が開始される時点で前記表示装置に表示されている処理条件を設定すること
を特徴とする処理装置の処理条件設定方法。
【請求項２】
表示装置に表示される複数の処理条件の内のいずれかに従って処理対象を所定の処理単位に区切って連続的に処理する処理装置であって、
処理開始前には設定可能な複数の処理条件を前記表示装置に並列的に表示させ、処理実行中には設定可能な複数の処理条件を前記表示装置に順次的且つ循環的に表示させる表示制御手段と、
処理開始前には前記表示装置に表示された複数の処理条件の内のいずれかの選択を外部からの所定の操作により受け付け、処理実行中には前記表示装置に設定可能な複数の処理条件を外部から受け付けた所定の操作に応じて順次的且つ循環的に表示させるように前記表示制御手段を制御する受付手段と、
処理開始時点で前記受付手段が受け付けている処理条件を各処理単位の処理条件として設定し、処理実行中に前記受付手段が操作された場合は各処理単位の処理が開始される時点で前記設定手段の制御により前記表示制御手段が前記表示装置に表示している処理条件を以降の各処理単位の処理条件として設定する設定手段と
を備えたことを特徴とする処理装置。
【請求項３】
前記表示制御手段が処理実行中に前記表示装置に順次的且つ循環的に表示させる設定可能な複数の処理条件を、処理開始前に限定する手段を更に供えたことを特徴とする請求項２に記載の処理装置。
【請求項４】
前記処理対象は複数ページの原稿であり、前記所定の処理単位は前記複数ページの原稿の各１ページの原稿であり、前記処理条件は原稿を読み取る際の解像度であり、前記処理はファクシミリ送信処理であることを特徴とする請求項２又は３に記載の処理装置。
【発明の詳細な説明】
【技術分野】
【０００１】
本発明は、表示装置に表示される複数の処理条件の内のいずれかに従って処理対象を所定の処理単位に区切って連続的に処理するような処理装置、たとえば表示装置に表示される複数の解像度の内のいずれかに従って送信対象の原稿を１ページ単位で連続的にファクシミリ送信処理するファクシミリ装置のような処理装置に対する処理条件の設定方法に関し、またそのような方法が適用されるファクシミリ装置のような処理装置に関する。
【背景技術】
【０００２】
ファクシミリ装置で複数ページの原稿を送信する際、各ページの内容、たとえば比較的大きな文字による文字原稿であるか、比較的複雑な図面であるか、更には写真であるか等に応じて個々のページ毎に解像度を変更したい場合がある。従来のファクシミリ装置では上述のような場合には、たとえば文字原稿は文字原稿のみをまとめて、図面のページは図面のページのみをまとめて、それぞれのグループに異なる解像度を設定してそれぞれのグループ単位で送信する必要があった。
【０００３】
このような事情からたとえば特許文献１には、予めページ毎の読取解像度を設定することを可能としたファクシミリ装置が開示されている。この特許文献１に開示されたファクシミリ装置では、送信すべき複数ページからなる原稿の各ページについてそれぞれ第１ページの解像度、第２ページの解像度、・・・というように、事前に全てのページについて解像度の設定を行なう構成を採っている。
【０００４】
また、特許文献２にも、送信原稿の読取解像度を送信中に変更可能なファクシミリ装置の発明が開示されている。この特許文献２に開示されている発明では、選択可能な読取解像度は複数の解像度が選択ボタンの操作ごとにサイクリックにトグル（一つのスイッチ，ボタン等を押す都度、順次的に表示，設定が変化する）選択可能である。しかしこの特許文献２に開示されている発明では、送信中以外、即ち送信開始前においても上述同様に解像度をトグル選択する構成が採られている。
【特許文献１】特開平６−１５２８６４号公報
【特許文献２】特開２００１−１６０８７７号公報
【発明の開示】
【発明が解決しようとする課題】
【０００５】
上述の特許文献１に開示されたファクシミリ装置では、送信すべき複数ページからなる原稿の各ページについてそれぞれ第１ページの解像度、第２ページの解像度、・・・というように、事前に全てのページについて解像度の設定を行なう必要があり、非常に煩瑣であった。また、特許文献２に開示されている発明では、送信中以外、即ち送信開始前においても上述同様にトグル選択する構成であるため、送信前の解像度設定に際してもトグル選択を行なう必要があり、選択肢が多い場合には煩瑣であった。
【０００６】
本発明は以上のような事情に鑑みてなされたものであり、処理装置による処理開始前と処理開始後の処理中での条理条件の設定操作をそれぞれの状況に応じた適宜の手法に変更することにより、操作性を向上させることを目的とする。具体的には、たとえば処理装置がファクシミリ装置である場合には、ファクシミリ送信開始前と送信開始後の送信中での解像度の設定操作をそれぞれの状況に応じた適宜の手法に変更することにより、操作性を向上させることを目的とする。
【課題を解決するための手段】
【０００７】
本発明は端的には、たとえばファクシミリ装置であれば、ファクシミリ送信開始前には設定可能な全ての解像度を表示装置の画面に表示してその中から一つを選択することにより解像度を設定することを可能とし、送信が開始された後の送信中にはトグル操作により解像度の設定を迅速に変更可能な構成としたものである。また更に本発明は、送信が開始された後の送信中にトグル操作により設定可能な解像度の数を予め限定することにより、送信に際して実際に必要な解像度のみをトグル操作により設定可能として、送信中の解像度の設定の操作性をより向上させるものである。
【０００８】
本発明に係る処理装置の処理条件設定方法は、表示装置に表示される複数の処理条件の内のいずれかに従って処理対象を所定の処理単位に区切って連続的に処理する処理装置に対する処理条件の設定方法であって、処理開始前においては、設定可能な複数の処理条件を前記表示装置に並列的に表示し、前記表示装置に表示した複数の処理条件に対する外部からの所定の操作による選択を受け付け、受け付けた処理条件を設定し、処理実行中においては、設定可能な複数の処理条件を外部からの所定の操作に応じて前記表示装置に順次的且つ循環的に表示し、各処理単位の処理が開始される時点で前記表示装置に表示されている処理条件を設定することを特徴とする。
【０００９】
また本発明に係る処理装置は、表示装置に表示される複数の処理条件の内のいずれかに従って処理対象を所定の処理単位に区切って連続的に処理する処理装置であって、処理開始前には設定可能な複数の処理条件を前記表示装置に並列的に表示させ、処理実行中には設定可能な複数の処理条件を前記表示装置に順次的且つ循環的に表示させる表示制御手段と、処理開始前には前記表示装置に表示された複数の処理条件の内のいずれかの選択を外部からの所定の操作により受け付け、処理実行中には前記表示装置に設定可能な複数の処理条件を外部から受け付けた所定の操作に応じて順次的且つ循環的に表示させるように前記表示制御手段を制御する受付手段と、処理開始時点で前記受付手段が受け付けている処理条件を各処理単位の処理条件として設定し、処理実行中に前記受付手段が操作された場合は各処理単位の処理が開始される時点で前記設定手段の制御により前記表示制御手段が前記表示装置に表示している処理条件を以降の各処理単位の処理条件として設定する設定手段とを備えたことを特徴とする。
【００１０】
このような本発明に係る処理装置の処理条件設定方法及び処理装置では、処理開始前においては、設定可能な複数の処理条件が表示装置に並列的に表示され、表示装置に表示された複数の処理条件に対する外部からの所定の操作による選択が受け付けられ、受け付けられた処理条件を設定して処理が開始される。また、処理実行中においては、設定可能な複数の処理条件が外部からの所定の操作に応じて一つづつ表示装置に順次的且つ循環的に表示され、即ちトグル表示され、各処理単位の処理が開始される時点で表示装置に表示されている処理条件が設定されて以降の各処理単位が処理される。
【００１１】
更に本発明に係る処理装置は上述の発明の処理装置において、前記表示制御手段が処理実行中に前記表示装置に順次的且つ循環的に表示させる設定可能な複数の処理条件を、処理開始前に限定する手段を更に供えたことを特徴とする。
【００１２】
このような本発明に係る処理装置では、表示制御手段が処理実行中に表示装置に順次的且つ循環的に表示させる設定可能な複数の処理条件を、処理開始前に限定することが可能になる。
【００１３】
また更に本発明に係る処理装置は上述の各発明の処理装置において、前記処理対象は複数ページの原稿であり、前記所定の処理単位は前記複数ページの原稿の各１ページの原稿であり、前記処理条件は原稿を読み取る際の解像度であり、前記処理はファクシミリ送信処理であることを特徴とする。
【００１４】
このような本発明に係る処理装置では、処理対象が複数ページの原稿であり、所定の処理単位が複数ページの原稿の各１ページの原稿であり、処理条件が原稿を読み取る際の解像度であり、処理がファクシミリ送信処理であり、全体としてファクシミリ装置として構成されている。
【発明の効果】
【００１５】
本発明に係る処理装置の処理条件設定方法及び処理装置によれば、処理開始前においては、設定可能な複数の処理条件が表示装置に並列的に表示されるので、選択可能な全ての処理条件から任意の処理条件の設定が可能になる。また、処理実行中においては、設定可能な複数の処理条件が外部からの所定の操作に応じて一つづつ表示装置に順次的且つ循環的に表示されるので、単純な操作により処理条件を迅速に更新設定することが可能になる。
【００１６】
また本発明に係る処理装置によれば、処理開始前に予め、表示装置に順次的且つ循環的に表示させる設定可能な複数の処理条件を限定しておけるので、実際に使用する処理条件のみに限定しておくことにより、単純な操作により処理条件を迅速且つ確実に更新設定することが可能になる。
【００１７】
更に本発明に係る処理装置によれば、全体としてファクシミリ装置として構成されいるので、複数ページの原稿を各１ページ単位でスキャンしてファクシミリ送信している間に、上述のようにして単純な操作により処理条件である解像度等を迅速且つ確実に更新設定することが可能になる。
【発明を実施するための最良の形態】
【００１８】
以下に、本発明に係る処理装置をファクシミリ装置として実現した場合の実施の形態を示す図面に基づいて詳述する。図１は本発明に係る処理装置としてのファクシミリ装置１の内部構成例を示すブロック図である。
【００１９】
ファクシミリ装置１はＣＰＵ（Central Processing Unit ）又はＭＰＵ（Micro Processor Unit）等で構成された制御部１０を備えている。制御部１０は、バスを介して、ＲＯＭ１１、ＲＡＭ１２、ＮＣＵ（Network Control Unit）１３、モデム１４、読取部１５、画像メモリ１６、記録部１７、操作部１８、表示部１９、画像データの符号化／復号化処理を行なうコーデック（ＣＯＤＥＣ）２０等と接続されている。
【００２０】
制御部１０は上述したようなハードウェア各部を制御すると共に、ＲＯＭ１１に予め格納されている制御プログラムに従って、種々のソフトウェア的機能を実現する。ＲＯＭ１１に格納されている制御プログラムとしては、ファクシミリ装置１としての一般的な動作に必要な種々のプログラム、即ちモデム１４を介して外部のファクシミリ装置３との間でファクシミリ通信を行なうためのファクシミリ通信プログラムが含まれる他、本発明に係る処理装置としての本来の動作に必要なプログラムも含まれる。また、ＲＡＭ１２はＳＲＡＭ又はフラッシュメモリ等で構成されており、制御部１０によるプログラムの実行時に発生するデータを一時的に記憶する。
【００２１】
モデム１４はファクシミリ通信が可能なファックスモデムで構成されており、ＮＣＵ１３とも直接的に接続されている。ＮＣＵ１３は公衆電話交換網ＰＳＴＮと接続されており、必要に応じてモデム１４を公衆電話交換網ＰＳＴＮと接続し、公衆電話交換網ＰＳＴＮを介して外部のファクシミリ装置３との間でのファクシミリ通信を可能としている。
【００２２】
読取部１５はＣＣＤ(Charge Coupled Device) を利用したスキャナで構成されており、図示しないＡＤＦ(Automatic Document Feeder) の原稿載置台に載置された複数ページの原稿を順次的に読み取ることにより各１ページ単位の原稿の画像データを取得し、取得した画像データを画像メモリ１６に記憶させる。この読取部１５のＡＤＦの原稿載置台には図示しない原稿センサが備えられており、原稿が載置（セット）された場合にはそのことを検出して制御部１０へ所定の信号を送る。なお、詳細は後述するが、読取部１５が原稿を読み取る際の解像度は、原稿全体の読み取り処理を開始する前に設定可能であると共に、原稿の読み取りを開始した後（ファクシミリ送信を開始した後）においても変更設定可能である。
【００２３】
画像メモリ１６はＤＲＡＭにより構成されており、モデム１４及びＮＣＵ１３を介したファクシミリ通信により受信した画像データ、及び読取部１５により読み取った画像データを一時的に記憶する。
【００２４】
記録部１７は例えば電子写真方式のプリンタ装置であって、画像メモリ１６に記憶させてある画像データを、Ａ３縦，Ｂ４縦，Ａ４縦，Ｂ５横及びＡ５横等の各サイズの記録紙又はＯＨＰ(Over Head Projector) シート等から最適なサイズのものを選択してハードコピーする。
【００２５】
操作部１８は、ファクシミリ装置１を操作するために必要なテンキー、短縮ダイヤルキー及び各種のファンクションキー等を備えている。表示部１９は液晶ディスプレイ（ＬＣＤ）等の表示装置であり、ファクシミリ装置１の動作状態、操作部１８から入力された文字、ユーザに通知すべき情報等の表示を行なう。なお、操作部１８の一部は表示部１９に表示されるソフトキーの操作を受け付けるタッチパネルとして構成されている。
【００２６】
上述した構成により、ファクシミリ装置１は、図示しないＡＤＦの原稿載置台にユーザが載置した原稿を読取部１５により読み取って得られた画像データを画像メモリ１６に一旦記憶した後、コーデック２０によってファクシミリ画像データに符号化してＮＣＵ１３及びモデム１４を介して公衆電話回線網ＰＳＴＮに接続されている他のファクシミリ装置３へ送信し、また、外部のファクシミリ装置３がファクシミリ通信にて送信したファクシミリ画像データを公衆電話回線網ＰＳＴＮを介して受信し、画像メモリ１６に一旦記憶した後、コーデック２０により通常の画像データ、たとえばビットマップ，ＭＰＥＧ，ＴＩＦＦ等の形式に復号するファクシミリ装置として機能する。
【００２７】
また、ファクシミリ装置１は、読取部１５により原稿を読み取って得られた画像データを記録部１７で記録用紙にハードコピーすることにより複写する複写装置としても機能する。
【００２８】
次に本発明に係る処理装置であるファクシミリ装置１の動作についてその処理手順及び表示部１９の表示画面の模式図を参照して説明する。なお以下の説明においては、本発明に係る処理装置であるファクシミリ装置１の処理条件設定のための処理手順、具体的には一例としてファクシミリ送信の際の送信モード（複数の解像度、及び写真モード）を設定する場合について説明する。
【００２９】
図２、図３及び図４は本発明に係る処理装置であるファクシミリ装置１のファクシミリ送信の際の処理手順を示すフローチャートであり、ＲＯＭ１１に予め格納されているプログラムに従って制御部１０により実行される。また、図５、図６及び図７は表示部１９の表示画面１９０の表示状態を示す模式図であり、それぞれに表示されているソフトキーの操作、具体的にはユーザの指による押下を受け付ける受付手段であるタッチパネルとして操作部１８の一部を構成している。
【００３０】
通常、表示部１９の表示画面１０には図５に示すような初期画面が表示されている。図５において、１９１はファクシミリ送信のために読取部１５が原稿をスキャン（読み取り）する際の濃度を設定する濃度キーであり、デフォルトは自動に設定されている。１９２はファクシミリ送信のために読取部１５が原稿をスキャン（読み取り）する際の原稿の読取サイズを設定するサイズキーであり、デフォルトは自動に設定されている。１９３はファクシミリ送信際の送信モードを設定する送信モードキーであり、具体的には読取部１５が原稿をスキャン（読み取り）する際の解像度に応じたモード及びディザ法等を応用した写真モードを設定するためのキーである。なお、送信モードは本実施の形態では、「標準」（モード１），「高画質」（モード２）及び「超高画質」（モード３）の３段階の解像度のいずれか、または原稿が写真である場合の「写真」モード（モード４）のいずれかが設定可能である。１９４はファクシミリ送信のために読取部１５が原稿の表面のみをスキャン（読み取り）するか、または表裏両面をスキャンするかを設定するためのキーである。
【００３１】
また、１９５は宛先が入力される宛先入力欄であり、操作部１８に設けられているテンキーを操作して送信先のファクシミリ番号（電話番号）を直接入力することも、操作部１８に設けられている短縮キー，ワンタッチキー等を操作してそれぞれに予め登録されている送信先を入力することも可能であり、入力された宛先のファクシミリ番号が表示される。また、１９６は送信キーであり、この送信キー１９６が操作（押下）されることにより、ファクシミリ装置１は読取部１５で原稿を読み取って（スキャンして）ファクシミリ送信を開始する。
【００３２】
上述のような初期画面が表示部１９に表示されている状態で、制御部１０は図示しない原稿センサの検出状態に基づいて、読取部１５のＡＤＦの原稿載置台に原稿が載置（セット）されるまで待機している（ステップＳ１１でＮＯ）。原稿がセットされると（ステップＳ１１でＹＥＳ）、制御部１０は、表示部１９の表示画面１９０に表示されている送信キー１９６が押下（オン）されたか（ステップＳ１２）、または送信モードキー１９３が押下されたか（ステップＳ１３）を判断する。なお、送信キー１９６及び送信モードキー１９３のいずれも操作されない場合（ステップＳ１２，Ｓ１３で共にＮＯ）、制御部１０は他のキーの操作が行なわれたか否か等に従って他の処理を実行し（ステップＳ１４）、ステップＳ１２へ処理を戻す。
【００３３】
読取部１５のＡＤＦに原稿がセットされて直ちに送信キー１９６が押下された場合は（ステップＳ１１，Ｓ１２で共にＹＥＳ）、図５に示されている初期画面のデフォルトの設定のままでファクシミリ送信が開始されるが、送信キー１２が押下される前に送信モードキー１９３が押下された場合（ステップＳ１２でＮＯ，Ｓ１３でＹＥＳ）、制御部１０は図３のフローチャートに示されている「処理停止中設定処理」のサブルーチンを実行する（ステップＳ１５）。
【００３４】
「処理停止中設定処理」のサブルーチンにおいては、制御部１０はまず図６に示すような「モード選択画面」を表示部１９の表示画面１９０に表示する（ステップＳ１５１）。このモード選択画面には、送信モードキー１９３が押下されたことに応じて、設定可能な４種類の送信モードを選択するための「標準」キー（モード１）２０１，「高画質」（モード２）キー２０２，「超高画質」（モード３）キー２０３及び「写真」（モード４）キー２０４、並びにＯＫキー２０５を内部に表示した送信モード選択欄２００が表示される。
【００３５】
この図６に示す送信モード選択欄２００において、「標準」キー２０１が押下された場合、即ちモード１が選択された場合（ステップＳ１５２でＹＥＳ）、または「高画質」キー２０２が押下された場合、即ちモード２が選択された場合（ステップＳ１５２でＮＯ，Ｓ１５３でＹＥＳ）、または「超高画質」キー２０３が押下された場合、即ちモード３が選択された場合（ステップＳ１５３でＮＯ，Ｓ１５４でＹＥＳ）、または「写真」キー２０４が押下された場合、即ちモード４が選択された場合（ステップＳ１５４でＮＯ，Ｓ１５５でＹＥＳ）には、制御部１０は次にＯＫキー２０５が押下されたか否か、即ち設定モードが確定したか否かを判断する（ステップＳ１５６）。ＯＫキー２０５が押下された場合は制御部１０は設定モードが確定したと判断し（ステップＳ１５６でＹＥＳ）、確定したモードを読取部１５によるスキャンの条件として設定し（ステップＳ１５７）、図２のメインルーチンへリターンする。従って、制御部１０は送信モード（処理条件）を設定する設定手段として機能する。
【００３６】
なお、ステップＳ１５２，Ｓ２５３，Ｓ１５４，Ｓ１５５のいずれにおいてもＮＯであった場合、又はステップＳ１５６でＮＯであった場合には、制御部１０はステップＳ１５２へ処理を戻していずれかのモードが選択されるまで上述同様の処理を反復する。
【００３７】
以上のようにしていずれかの送信モードが選択され設定された後に送信キー１９６が押下されると（ステップＳ１２でＹＥＳ）、制御部１０は読取部１５に原稿のスキャン（読み取り）を開始させる（ステップＳ１６）。この後、ユーザが何らの操作も行なわなければ（ステップＳ１７でＮＯ）、制御部１０は読取部１０によるスキャンを続行させ（ステップＳ１８）、読み取られた原稿の画像データを一般的なファクシミリ通信手順に従って、宛先入力欄１９５に先に入力されている宛先へファクシミリ送信を行なう。なお、読取部１５に原稿がある間は（ステップＳ１９でＹＥＳ）、制御部１０はステップＳ１７へ処理を戻す。但し、読取部１５に原稿が無くなった、即ち全ての原稿のスキャンが終了した場合は（ステップＳ１９でＮＯ）、制御部１０は処理を終了する。
【００３８】
ところで、上述のようにして読取部１５による原稿のスキャンが開始された時点から原稿のスキャンが終了するまでの間に送信モードキー１９３が押下された場合（ステップＳ１７でＹＥＳ）、その時点でなんらかの事情（たとえばユーザの操作でスキャンを一時停止させているような場合）でスキャンが停止されていれば（ステップＳ２０でＮＯ）、制御部１０は前述の「処理停止中設定処理」のサブルーチンを実行する（ステップＳ２１）。
【００３９】
この「処理停止中設定処理」のサブルーチンについては既述したのでその説明は省略するが、要はスキャン開始後においてもスキャンが一時停止している場合には前述の図６に示した「モード選択画面」が表示部１９の表示画面１９０に表示されるので、ユーザはこの「モード選択画面」を使用して送信モードの変更を行なうことが可能になるということである。
【００４０】
なお、上述のようなスキャン開始後に「処理停止中設定処理」のサブルーチンが実行された後にスキャンが再開された場合は（ステップＳ２２でＹＥＳ）、制御部１０は前述のステップＳ１７へ処理を移し、スキャンが再開されない場合は（ステップＳ２２でＮＯ）、再度「処理停止中設定処理」のサブルーチンを実行する。
【００４１】
ステップＳ１７において送信モードキー１９３が押下された時点で読取部１５によるスキャンが実行中である場合は（ステップＳ２０でＹＥＳ）、制御部１０は図４のフローチャートに示す「処理実行中設定処理」のサブルーチンを実行する（ステップＳ２３）。
【００４２】
「処理実行中設定処理」のサブルーチンにおいては、制御部１０は前述の図５に示した初期画面の内の送信モードキー１９３のみを表示した「モード切換画面」を表示部１９の表示画面１９０に表示する（ステップＳ２３１）。このモード切換画面には、初期状態としてはその時点で設定されている送信モードの次の順序の送信モードが送信モードキー１９３に表示される。なお、図７に示す例では初期画面としては「標準」（モード１）から「高画質」（モード２）に更新設定された状態が表示されており、この場合の送信モードキーを参照符号１９３−２で示す。
【００４３】
そして、この「モード切換画面」においては、送信モードキー１９３が操作（押下）される都度、所定の順序で順次的且つ循環的に各送信モードが切換表示（トグル表示）される。具体的には、図７に示すように、「標準」（モード１）が表示されている送信モードキー１９３−１が押下されると「高画質」（モード２）が表示された送信モードキー１９３−２に切換表示され、この「高画質」（モード２）が表示された送信モードキー１９３−２が押下されると「超高画質」（モード３）が表示された送信モードキー１９３−３に切換表示され、この「超高画質」（モード３）が表示された送信モードキー１９３−３が押下されると「写真」（モード４）が表示された送信モードキー１９３−４に切換表示され、更にこの「写真」（モード４）が表示された送信モードキー１９３−４が押下されると「標準」（モード１）が表示された送信モードキー１９３−１に切換表示されて表示状態が一巡する。ただし、どのモードからトグル表示が開始されるかは、送信モードキー１９３が押圧された時点で設定されていたモードに応じて異なる。
【００４４】
制御部１０による制御は以下のようになる。まず、上述した如く、制御部１０は「モード切換画面」を表示部１９の表示画面１９０に表示する（ステップＳ２３１）。この際、それまで設定されていた送信モードが「標準」（モード１）であれば（ステップＳ２３２でＹＥＳ）、制御部１０は「高画質」（モード２）を設定すると共に表示部１９の画面１９０に「高画質」の送信モードキー１９３−２を表示する（ステップＳ２３３）。また、それまで設定されていた送信モードが「高画質」（モード２）であれば（ステップＳ２３２でＮＯ，Ｓ２３４でＹＥＳ）、制御部１０は「超高画質」（モード３）を設定すると共に表示部１９の画面１９０に「超高画質」の送信モードキー１９３−３を表示する（ステップＳ２３５）。また、それまで設定されていた送信モードが「超高画質」（モード３）であれば（ステップＳ２３４でＮＯ，Ｓ２３６でＹＥＳ）、制御部１０は「写真」（モード４）を設定すると共に表示部１９の画面１９０に「写真」の送信モードキー１９３−４を表示する（ステップＳ２３７）。また、それまで設定されていた送信モードが「写真」（モード４）であれば（ステップＳ２３６でＮＯ，Ｓ２３８でＹＥＳ）、制御部１０は「標準」（モード１）を設定すると共に表示部１９の画面１９０に「標準」の送信モードキー１９３−１を表示する（ステップＳ２３９）。なお、ステップＳ２３８での判断結果がＮＯであった場合はステップＳ２４０へ処理が進められる。
【００４５】
以上のようにして、送信モードキー１９３が一回押圧されることによりそれ以前のモードが所定の順序で次のモードに更新設定されるので、原稿の次のページのスキャンが開始されると（ステップＳ２４０でＹＥＳ）、制御部１０は更新設定されたモードで読取部１５に原稿のスキャン（読み取り）を行なわせ（ステップＳ２４１）、図２に示すメインルーチンへリターンする。しかし、原稿の次のページのスキャンが開始される前に（ステップＳ２４０でＮＯ）、再度送信モードキー１９３が押圧されると（ステップＳ２４２でＹＥＳ）、制御部１０は再度ステップＳ２３２へ処理を戻す。従って、原稿の次のページのスキャンが開始されるまでの間に送信モードキー１９３を複数回押圧することにより、ユーザは４種類の送信モードから任意の送信モードを設定することが可能になる。なお、ステップＳ２４２において送信モードキー１９３が押圧されない場合は (ステップＳ２４２でＮＯ）、次ページのスキャンが開始されるまで、又は送信モードキー１９３が押圧されるまで待機状態になる。
【００４６】
ところで、原稿がたとえば通常の文書のページと写真のページとで構成されている場合には、「標準」と「写真」の送信モードを使用することが好ましい。しかしこの場合、上述のような読取部１５による原稿の各ページのスキャンの間に送信モードをたとえば「標準」に設定されている状態から「写真」に更新設定するためには、送信モードキー１９３を３回押圧操作する必要がある（ステップＳ１７で一回、サブルーチンのステップＳ２４２で２回）。従って、上述のように予め「標準」と「写真」との２種類の送信モードのみを使用することが判明している場合には、「処理実行中設定処理」のサブルーチンにおいてそれらの２種類のモード間でのみ切換が行なわれるようにしておけば、必要な送信モード間の切換を迅速且つ容易に行なうことが可能である。
【００４７】
以上のような観点から、前述した図６に示した「モード選択画面」に図８に示すような「切り換えるモードを限定する」と表示された「モード限定」キー２０６を追加して表示するようにする。図９は前述した図３に示されている「処理停止中設定処理」のサブルーチンの他の実施の形態を示すフローチャートであり、「モード限定」キー２０６の操作が考慮されている。
【００４８】
図９に示すように、「処理停止中設定処理」のサブルーチンにおいて上述した図８に示す「モード選択画面」を制御部１０はまず表示部１９の表示画面１９０に表示する（ステップＳ１５１）。そして、「モード限定」キー２０６が最初に押圧されずに他のキーが押圧された場合には（ステップＳ１６１でＮＯ）、図３に示すステップＳ１５２へ処理が進められ、以降は図３に示されているフローチャートに従って処理が行なわれる。しかし、「モード限定」キー２０６が最初に押圧された場合には（ステップＳ１６１でＹＥＳ）、制御部１０は「標準」（モード１）が選択されたか（ステップＳ１６２でＹＥＳ）、「高画質」（モード２）が選択されたか（ステップＳ１６２でＮＯ，Ｓ１６４でＹＥＳ）、「超高画質」（モード３）が選択されたか（ステップＳ１６４でＮＯ，Ｓ１６６でＹＥＳ）、「写真」（モード４）が選択されたか（ステップＳ１６６でＮＯ，Ｓ１６８でＹＥＳ）を検出している。
【００４９】
以上の処理を「ＯＫ」キー２０５が押圧されるまで（ステップＳ１６８でＮＯ，Ｓ１７０でＮＯ）、制御部１０が反復することにより、複数のモードの選択が行なわれる。各モード（モード１〜４）が選択された場合、制御部１０は選択されたモードを設定する（ステップＳ１６３，Ｓ１６５，Ｓ１６７またはＳ１６９）。そして、「ＯＫ」キー２０５が押圧されると（ステップＳ１７０でＹＥＳ）、制御部１０は選択されて設定されたモードとその選択された順序とをＲＡＭ１２に記憶し（ステップＳ１７１）、メインルーチンへリターンする。
【００５０】
このような「モード限定」キー２０６による設定が行なわれた場合の「処理実行中設定処理」のサブルーチンは図１０に示すフローチャートのようになる。図２に示すメインルーチのステップＳ１７において送信モードキー１９３が押圧され（ステップＳ１７でＹＥＳ）、その際に読取部１５によるスキャンが実行中であれば（ステップＳ２０でＹＥＳ）、制御部１０は図１０に示す「処理実行中設定処理」のサブルーチンを実行する。
【００５１】
まず制御部１０は、前述の図５に示した初期画面の内の送信モードキー１９３のみを表示した「モード切換画面」を表示部１９の表示画面１９０に表示する（ステップＳ２５１）。このモード切換画面には、初期状態としては送信モードキー１９３が押圧された時点で設定されていた送信モードの次の送信モードが送信モードキー１９３に表示される。このことは前述の図４に示したステップ２３１と同様である。但し、この図１０に示す「処理実行中設定処理」のサブルーチンでは、前述した「モード限定」キー２０６の操作により選択されたモードのみが対象となる。
【００５２】
従って、「モード限定」キー２０６の操作によりたとえば「標準」（モード１）と「写真」（モード４）とのみが選択され、「標準」（モード１）が第１順位として、「写真」（モード４）が第２順位として設定されており、メインルーチのステップＳ１７において送信モードキー１９３が押下された時点で「標準」（モード１）であったとすると、制御部１０はその次の順位に設定されている送信モードである「写真」（モード４）を設定すると共に表示部１９の画面１９０に「写真」の送信モードキー１９３−４を表示する（ステップＳ２５２）。
【００５３】
以上のようにして、送信モードキー１９３が一回押圧されることによりそれ以前のモードが先に「モード限定」キー２０６の操作により選択されている送信モードの内の次の順位の送信モードに更新設定されるので、原稿の次のページのスキャンが開始されると（ステップＳ２５３でＹＥＳ）、制御部１０は更新設定されたモードで読取部１５に原稿のスキャン（読み取り）を行なわせ（ステップＳ２５４）、図２に示すメインルーチンへリターンする。しかし、原稿の次のページのスキャンが開始される前に（ステップＳ２５３でＮＯ）、再度送信モードキー１９３が押圧されると（ステップＳ２５５でＹＥＳ）、制御部１０は再度ステップＳ２５２へ処理を戻す。従って、原稿の次のページのスキャンが開始されるまでの間に送信モードキー１９３を複数回押圧することにより、ユーザは任意の送信モードを設定することが可能になる。なお、ステップＳ２５５において送信モードキー１９３が押圧されない場合は (ステップＳ２５５でＮＯ）、次ページのスキャンが開始されるまで、又は送信モードキー１９３が押圧されるまで待機状態になる。
【００５４】
但し、「モード限定」キー２０６の操作によりたとえば前述した如く「標準」（モード１）と「写真」（モード４）との２種類の送信モードのみを選択しておけば、メインルーチのステップＳ１７で１回だけ送信モードキー１９３を押圧するのみにて、図１０に示す「処理実行中設定処理」のサブルーチンにおいては、「標準」（モード１）と「写真」（モード４）との２種類の送信モードのみが逆に設定されると共に表示部１９に表示されるのみである。従って、「標準」（モード１）と「写真」（モード４）との２種類の送信モードのみを使用すればよい場合には、１回の送信モードキー１９３の押圧操作により両送信モードを交互に設定することが可能になる。この場合は図１１に示すように、「標準」（モード１）が表示されている送信モードキー１９３−１が押下されると写真（モード４）が表示された送信モードキー１９３−４に切換表示され、この「写真」（モード４）が表示された送信モードキー１９３−４が押下されると「標準」（モード１）が表示された送信モードキー１９３−１に切換表示されて表示状態が一巡する。
【００５５】
なお、上述の例では「標準」（モード１）と「写真」（モード４）との２種類の送信モードを切り換える例を示したが、他の組み合わせを設定することも勿論可能である。たとえば、通常の文書のページと複雑な図面のページとが混在している原稿の場合には、文書のページは「標準」（モード１）で、図面のページは「超高画質」（モード３）でそれぞれスキャンするように「モード限定」キー２０６の操作により設定しておけばよい。
【００５６】
また上述の実施の形態では、ファクシミリ装置が複数ページの原稿をファクシミリ送信する際の送信モード、即ち解像度の設定又は写真モードの設定を例として説明したが、複数ページの原稿を複写するような場合、あるいは複数ページの原稿をスキャンして画像データとしてファイリングするような場合等にも本発明を適用することが可能である。
【図面の簡単な説明】
【００５７】
【図１】本発明に係る処理装置としてのファクシミリ装置の内部構成例を示すブロック図である。
【図２】本発明に係る処理装置であるファクシミリ装置のファクシミリ送信の際の処理手順を示すフローチャートである。
【図３】本発明に係る処理装置であるファクシミリ装置のファクシミリ送信の際の処理手順を示すフローチャートである。
【図４】本発明に係る処理装置であるファクシミリ装置のファクシミリ送信の際の処理手順を示すフローチャートである。
【図５】本発明に係る処理装置であるファクシミリ装置の表示部の表示画面の表示状態を示す模式図である。
【図６】本発明に係る処理装置であるファクシミリ装置の表示部の表示画面の表示状態を示す模式図である。
【図７】本発明に係る処理装置であるファクシミリ装置の表示部の表示画面の表示状態を示す模式図である。
【図８】本発明に係る処理装置であるファクシミリ装置の表示部の表示画面の表示状態を示す模式図である。
【図９】本発明に係る処理装置であるファクシミリ装置のファクシミリ送信の際の処理手順を示すフローチャートである。
【図１０】本発明に係る処理装置であるファクシミリ装置のファクシミリ送信の際の処理手順を示すフローチャートである。
【図１１】本発明に係る処理装置であるファクシミリ装置の表示部の表示画面の表示状態を示す模式図である。
【符号の説明】
【００５８】
１  ファクシミリ装置
１０  制御部
１５  読取部
１８  操作部
１９  表示部
１９０  表示画面
１９３  送信モードキー
１９６  送信キー
２００  送信モード選択欄
２０１  標準（モード１）キー
２０２  高画質（モード２）キー
２０３  超高画質（モード３）キー
２０４  写真（モード４）キー
２０６  モード限定キー
【図１】
2005318322.tif 000003
【図２】
2005318322.tif 000004
【図３】
2005318322.tif 000005
【図４】
2005318322.tif 000006
【図５】
2005318322.tif 000007
【図６】
2005318322.tif 000008
【図７】
2005318322.tif 000009
【図８】
2005318322.tif 000010
【図９】
2005318322.tif 000011
【図１０】
2005318322.tif 000012
【図１１】
2005318322.tif 000013